(57)【要約】【課題】転々流通する流通物に印刷された流通物識別情報を介して、メッセージ等の流通物保持情報を伝達するために用いるための情報管理システム、情報管理方法及び情報管理プログラムを提供する。【解決手段】管理サーバ２０は、紙幣に印刷された紙幣識別情報に関連付けてメッセージを記憶する紙幣情報記憶部２４と、ユーザ端末１０に接続される制御部２１とを備える。制御部２１が、ユーザ端末１０から、ユーザが保持する紙幣の撮影画像を取得する。制御部２１は、紙幣情報記憶部２４に、撮影画像に対応する紙幣識別情報に関連付けられたメッセージが記録されている場合、ユーザ端末１０に出力し、ユーザ端末１０から、新たなメッセージを取得した場合、紙幣識別情報に関連付けてメッセージを紙幣情報記憶部２４に記録する。【選択図】図１
2018106495.tif 000002
【特許請求の範囲】
【請求項１】
転々流通する流通物に印刷された流通物識別情報に関連付けて、流通物保持情報を記憶する流通物情報記憶部と、
ユーザ端末に接続される制御部とを備えた情報管理システムであって、
前記制御部は、
ユーザ端末から、ユーザが保持する流通物の流通物識別情報を取得し、
前記流通物情報記憶部に、前記流通物識別情報に関連付けられた流通物保持情報が記録されている場合、前記ユーザ端末に出力し、
前記ユーザ端末から、新たな流通物保持情報を取得した場合、前記流通物識別情報に関連付けて前記流通物保持情報を前記流通物情報記憶部に記録することを特徴とする情報管理システム。
【請求項２】
前記流通物として紙幣を用い、流通物識別情報として紙幣に印字された記番号に関する情報を用いることを特徴とする請求項１に記載の情報管理システム。
【請求項３】
前記ユーザ端末から、メッセージを含めた流通物保持情報を取得し、前記流通物情報記憶部に記録することを特徴とする請求項１又は２に記載の情報管理システム。
【請求項４】
前記制御部は、前記流通物情報記憶部において、新たな流通物保持情報を取得した登録日時を流通物保持情報に関連付けて記録し、
前記流通物保持情報の登録日時の順番で、前記ユーザ端末に、前記流通物保持情報を出力することを特徴とする請求項１〜３の何れか一項に記載の情報管理システム。
【請求項５】
前記制御部は、新たな流通物保持情報の取得時に、前記ユーザ端末の所在情報を取得し、前記流通物情報記憶部において、前記所在情報を流通物保持情報に関連付けて記録し、
前記流通物保持情報の登録日時の順番で、前記ユーザ端末に、前記流通物識別情報に関連付けられた所在情報を出力することを特徴とする請求項１〜４の何れか一項に記載の情報管理システム。
【請求項６】
特典の提供条件が記録された特典情報記憶部を更に備え、
前記提供条件に基づいて、提供可能な特典を特定し、流通物識別情報を読み取ったユーザ端末に対して、特典を提供することを特徴とする請求項１〜５の何れか一項に記載の情報管理システム。
【請求項７】
転々流通する流通物に印刷された流通物識別情報に関連付けて、流通物保持情報を記憶する流通物情報記憶部と、
ユーザ端末に接続される制御部とを備えた情報管理システムを用いて、情報管理を行なうための方法であって、
前記制御部が、
ユーザ端末から、ユーザが保持する流通物の流通物識別情報を取得し、
前記流通物情報記憶部に、前記流通物識別情報に関連付けられた流通物保持情報が記録されている場合、前記ユーザ端末に出力し、
前記ユーザ端末から、新たな流通物保持情報を取得した場合、前記流通物識別情報に関連付けて前記流通物保持情報を前記流通物情報記憶部に記録することを特徴とする情報管理方法。
【請求項８】
転々流通する流通物に印刷された流通物識別情報に関連付けて、流通物保持情報を記憶する流通物情報記憶部と、
ユーザ端末に接続される制御部とを備えた情報管理システムを用いて、情報管理を行なうためのプログラムであって、
前記制御部を、
ユーザ端末から、ユーザが保持する流通物の流通物識別情報を取得し、
前記流通物情報記憶部に、前記流通物識別情報に関連付けられた流通物保持情報が記録されている場合、前記ユーザ端末に出力し、
前記ユーザ端末から、新たな流通物保持情報を取得した場合、前記流通物識別情報に関連付けて前記流通物保持情報を前記流通物情報記憶部に記録する手段として機能させることを特徴とする情報管理プログラム。
【発明の詳細な説明】
【技術分野】
【０００１】
本発明は、メッセージ等の流通物保持情報を伝達するための情報管理システム、情報管理方法及び情報管理プログラムに関する。
【背景技術】
【０００２】
紙幣の表面の左上や右下には、アルファベットと数字とを組み合わせた記番号（紙幣番号）が印刷されている。同じ種類の紙幣には、異なる記番号が印刷されている。なお、状況によっては、同じ記番号が印刷されている場合もあるが、この場合には記番号の配色が異なる。
このような記番号（紙幣番号）を利用した技術も検討されている（特許文献１、２）。特許文献１には、重機等で自動取引装置を盗難された場合でも、盗難後にも紙幣の追跡を可能にするための技術が開示されている。具体的には、自動取引装置に挿入された紙幣または自動取引装置から排出する紙幣、それぞれの紙幣番号をホストコンピュータに通知し、ホストコンピュータでは自動取引装置ごとの紙幣番号を管理する。
【０００３】
また、特許文献２には、計数処理された紙幣の管理責任を明確にするための技術が開示されている。具体的には、紙幣計数機により識別処理された紙幣の各々について、処理担当者情報や紙幣計数機情報と紙幣番号とを含む処理履歴情報を管理する。
【先行技術文献】
【特許文献】
【０００４】
【特許文献１】特開２００６−６５４３４号公報
【特許文献２】特開２０１５−１５６０５０号公報
【発明の概要】
【発明が解決しようとする課題】
【０００５】
上記文献に記載された技術においては、紙幣番号を用いて、紙幣を管理している。しかしながら、これらの文献に記載された技術では、自動取引装置や紙幣計数機等のように、紙幣を専門に扱う専用機において、紙幣番号を読み取る。一方、紙幣は、取引に用いられるため、人から人へ転々流通する。このような紙幣を通じて、ソーシャルネットワークのように、人の繋がりを構築する仕組みは検討されていない。
【０００６】
本発明は、上記課題を解決するためになされたものであり、転々流通する流通物に印刷された流通物識別情報を介して、メッセージ等の流通物保持情報を伝達するために用いる情報管理システム、情報管理方法及び情報管理プログラムを提供することにある。
【課題を解決するための手段】
【０００７】
・上記課題を解決する情報管理システムは、転々流通する流通物に印刷された流通物識別情報に関連付けて、流通物保持情報を記憶する流通物情報記憶部と、ユーザ端末に接続される制御部とを備える。そして、前記制御部は、ユーザ端末から、ユーザが保持する流通物の流通物識別情報を取得し、前記流通物情報記憶部に、前記流通物識別情報に関連付けられた流通物保持情報が記録されている場合、前記ユーザ端末に出力し、前記ユーザ端末から、新たな流通物保持情報を取得した場合、前記流通物識別情報に関連付けて前記流通物保持情報を前記流通物情報記憶部に記録する。これにより、転々流通する流通物に印刷された流通物識別情報を介して、流通物保持情報を伝達することができる。
【０００８】
・上記情報管理システムにおいて、前記流通物として紙幣を用い、流通物識別情報として紙幣に印字された記番号に関する情報を用いることが好ましい。これにより、紙幣を用いて、流通物保持情報を伝達することができる。
・上記情報管理システムにおいて、前記ユーザ端末から、メッセージを含めた流通物保持情報を取得し、前記流通物情報記憶部に記録することが好ましい。これにより、メッセージを伝達することができる。
・上記情報管理システムにおいて、前記制御部は、前記流通物情報記憶部において、新たな流通物保持情報を取得した登録日時を流通物保持情報に関連付けて記録し、前記流通物保持情報の登録日時の順番で、前記ユーザ端末に、前記流通物保持情報を出力することが好ましい。これにより、流通物保持情報を時系列に表示することができる。
【０００９】
・上記情報管理システムにおいて、前記制御部は、新たな流通物保持情報の取得時に、前記ユーザ端末の所在情報を取得し、前記流通物情報記憶部において、前記所在情報を流通物保持情報に関連付けて記録し、前記流通物保持情報の登録日時の順番で、前記ユーザ端末に、前記流通物識別情報に関連付けられた所在情報を出力することが好ましい。これにより、転々流通する流通物に印刷された流通物識別情報を介して、流通物保持情報の登録場所を時系列に表示することができる。
【００１０】
・上記情報管理システムにおいて、特典の提供条件が記録された特典情報記憶部を更に備え、前記提供条件に基づいて、提供可能な特典を特定し、流通物識別情報を読み取ったユーザ端末に対して、特典を提供することが好ましい。これにより、転々流通する流通物に印刷された流通物識別情報を介して、特典を提供することができる。
【発明の効果】
【００１１】
本発明によれば、転々流通する流通物に印刷された流通物識別情報を介して、メッセージ等の流通物保持情報を伝達することができる。
【図面の簡単な説明】
【００１２】
【図１】本実施形態の情報管理システムの説明図。
【図２】本実施形態の画面の説明図。
【図３】本実施形態の処理手順の説明図。
【図４】本実施形態の処理手順の説明図であって、（ａ）は自己紙幣表示処理、（ｂ）は全体紙幣表示処理、（ｃ）はクーポン表示処理の説明図。
【図５】他の実施形態の処理手順の説明図であって、（ａ）はメッセージ登録処理、（ｂ）はメッセージ出力処理の説明図。
【図６】他の実施形態の処理手順の説明図。
【発明を実施するための形態】
【００１３】
以下、情報管理システム、情報管理方法及び情報管理プログラムを具体化した一実施形態を、図１〜図４に従って説明する。本実施形態では、ユーザが保有する紙幣に基づいて各種情報を出力するサービスを提供する場合を想定する。ここでは、転々流通する流通物として紙幣を用いる。
【００１４】
図１に示すように、ネットワークを介して接続されたユーザ端末１０、管理サーバ２０を用いる。
ユーザ端末１０は、本サービスを利用するユーザが用いるコンピュータ端末である。ユーザ端末１０としては、例えば、各ユーザが所有するスマートフォンを利用することができる。このユーザ端末１０は、ネットワークを介して管理サーバ２０と接続されている。このユーザ端末１０は、端末制御部１１、タッチパネルディスプレイ１５、カメラ１６、位置情報取得部１７を備える。端末制御部１１は、各種アプリケーションを実行し、管理サーバ２０から取得したデータ（ウェブページ等）を、ディスプレイに出力する。
【００１５】
タッチパネルディスプレイ１５は、画面上に情報を出力する出力部、タッチ操作等による情報を入力する入力部として機能する。
カメラ１６は、被写体を撮影した画像を生成する処理を実行する。
位置情報取得部１７は、例えばＧＰＳ（Global Positioning System）機能により、ユーザ端末１０の所在地情報を取得する。なお、所在地情報を取得する方法は、ＧＰＳ機能の利用に限定されるものではなく、ユーザの所在地を特定できる方法であればよい。例えば、アクセスに用いられたネットワークのアドレス情報（送信元ＩＰアドレス）を利用して、ユーザの所在地を特定することも可能である。
【００１６】
端末制御部１１は、制御手段（ＣＰＵ、ＲＡＭ、ＲＯＭ等）を備え、後述する処理（情報取得段階、情報登録段階、画面制御段階等の各処理）を行なう。そのためのアプリケーションプログラムを実行することにより、端末制御部１１は、情報取得部１１１、情報登録部１１２、画面制御部１１３として機能する。
【００１７】
情報取得部１１１は、紙幣の撮影画像を用いて情報を取得する処理を実行する。
情報登録部１１２は、紙幣に関連した情報を登録する処理を実行する。この情報登録部１１２は、ユーザＩＤを保持している。
画面制御部１１３は、タッチパネルディスプレイ１５に出力する画面を制御する。
【００１８】
図２に示すように、アプリケーションプログラムを起動した場合、メニュー画面５００がタッチパネルディスプレイ１５に出力される。このメニュー画面５００には、「スキャン」、「自分のお金」、「みんなのお金」、「クーポン」の選択ボタンが含まれる。
【００１９】
メニュー画面５００において、「スキャン」ボタンが選択された場合、画面制御部１１３は、タッチパネルディスプレイ１５に撮影画面５１０を出力する。この撮影画面５１０を用いて、カメラ１６により、紙幣を撮影することができる。撮影を完了した場合、タッチパネルディスプレイ１５にはメッセージ入力画面５１１が出力される。このメッセージ入力画面５１１を用いて、撮影した紙幣に関連付けて、メッセージを登録することができる。紙幣保持情報の登録を完了した場合、タッチパネルディスプレイ１５には、確認画面５１２が出力される。この確認画面５１２においては、この紙幣に関連付けられた移動ルートやメッセージが表示される。
【００２０】
メニュー画面５００において、「自分のお金」ボタンが選択された場合、画面制御部１１３は、タッチパネルディスプレイ１５に既登録画面５２０を出力する。この既登録画面５２０には、自分が登録した紙幣を選択するための選択ボタンが含まれる。この選択ボタンを用いることにより、確認画面５１２により、指定された紙幣の情報を出力することができる。
【００２１】
メニュー画面５００において、「みんなのお金」ボタンが選択された場合、画面制御部１１３は、タッチパネルディスプレイ１５にヒートマップ画面５３０を出力する。このヒートマップ画面５３０においては、現在登録されている紙幣の分布を示すヒートマップが出力される。例えば、このヒートマップにおいては、紙幣が集中して存在している地域を識別できる色（例えば、赤等の色彩や、配色の濃さ）で表示する。なお、紙幣の分布は、色による識別方法に限定されるものではない。
【００２２】
メニュー画面５００において、「クーポン」ボタンが選択された場合、画面制御部１１３は、タッチパネルディスプレイ１５にクーポン一覧画面５４０を出力する。このクーポン一覧画面５４０においては、このユーザが取得したクーポンの一覧が表示される。クーポン一覧画面５４０において、各クーポンボタンが選択された場合、このクーポン画像が表示されたクーポン画面５４１が、タッチパネルディスプレイ１５に表示される。
【００２３】
図１に示す管理サーバ２０は、ユーザに対するサービスを管理するコンピュータシステムである。この管理サーバ２０は、制御部２１、ユーザ情報記憶部２２、クーポン情報記憶部２３、紙幣情報記憶部２４を備えている。
【００２４】
ユーザ情報記憶部２２には、本サービスの利用者に関するユーザ管理レコード２２０が記録される。ユーザ管理レコード２２０は、ユーザ登録が行なわれた場合に記録される。ユーザ管理レコード２２０には、ユーザＩＤ、記番号、クーポンＩＤに関するデータが記録される。
【００２５】
ユーザＩＤデータ領域には、各ユーザを特定するための識別子に関するデータが記録される。
記番号データ領域には、このユーザが登録した紙幣を特定するための識別子（流通物識別情報）に関するデータが記録される。ユーザが複数の紙幣を登録した場合には、複数の記番号が記録される。
【００２６】
クーポンＩＤデータ領域には、このユーザに提供したクーポンを特定するための識別子に関するデータが記録される。ユーザが複数のクーポンを取得した場合には、複数のクーポンＩＤが記録される。
【００２７】
クーポン情報記憶部２３は特典情報記憶部として機能する。このクーポン情報記憶部２３には、ユーザに対して、特別の利益を提供するためのクーポンに関するクーポン管理レコード２３０が記録される。クーポン管理レコード２３０は、クーポンが登録された場合に記録される。クーポン管理レコード２３０には、クーポンＩＤ、提供条件、クーポン画像に関するデータが記録される。
【００２８】
クーポンＩＤデータ領域には、ユーザに提供するクーポンを特定するための識別子に関するデータが記録される。このクーポンを利用することにより、店舗等において特別の利益を享受することができる。
【００２９】
提供条件データ領域には、ユーザに対して、クーポンを提供する条件に関するデータが記録される。例えば、クーポンの提供条件としては、各紙幣の最初のメッセージ登録、所定地域や所定場所におけるメッセージ登録、所定期間におけるメッセージ登録等を設定することができる。
クーポン画像データ領域には、ユーザ端末１０に表示するクーポンの画像データが記録される。
【００３０】
紙幣情報記憶部２４には、ユーザが保持した紙幣に関する紙幣管理レコード２４０が記録される。紙幣管理レコード２４０は、ユーザが保持する紙幣の紙幣保持情報（流通物保持情報）が登録された場合に記録される。紙幣管理レコード２４０には、紙幣保持情報として、記番号に関連付けて、ユーザＩＤ、登録日時、登録場所、メッセージ内容に関するデータが記録される。
【００３１】
記番号データ領域には、各紙幣を特定するための識別子に関するデータが記録される。なお、記番号の配色についても、紙幣を特定するための識別子に含めてもよい。
ユーザＩＤデータ領域には、この紙幣を読み取って紙幣保持情報を登録したユーザを特定するための識別子に関するデータが記録される。
【００３２】
登録日時データ領域には、紙幣保持情報を登録した年月日及び時刻に関するデータが記録される。
登録場所データ領域には、紙幣保持情報を登録した場所に関するデータが記録される。
メッセージ内容データ領域には、このユーザが登録したメッセージに関するデータが記録される。このメッセージとしては、テキストの他、撮影画像やイラスト画像等を用いることができる。
【００３３】
図１に示す制御部２１は、制御手段（ＣＰＵ、ＲＡＭ、ＲＯＭ等）を備え、後述する処理（登録管理段階、出力管理段階、クーポン管理段階等の各処理等）を行なう。そのための情報管理プログラムを実行することにより、制御部２１は、登録管理部２１１、出力管理部２１２、クーポン管理部２１３として機能する。
【００３４】
登録管理部２１１は、ユーザ端末１０から取得した紙幣保持情報を登録する処理を実行する。この登録管理部２１１は、紙幣の金種及び番号領域を特定するための紙幣レイアウトに関するパターン（紙幣パターン）を保持している。
【００３５】
出力管理部２１２は、各記憶部（２２〜２４）に記録されている情報をユーザ端末１０に出力する処理を実行する。
クーポン管理部２１３は、ユーザに対して提供するクーポンを管理する処理を実行する。
【００３６】
次に、この情報管理システムにおける処理手順を説明する。紙幣に関する情報の登録を希望するユーザは、ユーザ端末１０のアプリケーションプログラムを起動する。この場合、ユーザ端末１０の端末制御部１１は、タッチパネルディスプレイ１５に、メニュー画面５００を出力する。
【００３７】
（スキャン処理）
まず、図３を用いて、スキャン処理を説明する。
メニュー画面５００の「スキャン」ボタンが選択された場合、ユーザ端末１０の画面制御部１１３は、タッチパネルディスプレイ１５に撮影画面５１０を出力する。この撮影画面５１０を用いて、紙幣の撮影指示を入力する。この場合、情報取得部１１１は、カメラ１６から、紙幣の撮影画像を取得する。そして、撮影画面５１０において送信ボタンが選択された場合、情報登録部１１２は、撮影画像を管理サーバ２０に送信する。
【００３８】
この場合、管理サーバ２０の制御部２１は、アップロード処理を実行する（ステップＳ１−１）。具体的には、制御部２１の登録管理部２１１は、ユーザ端末１０から撮影画像を取得する。
【００３９】
次に、管理サーバ２０の制御部２１は、金種、番号領域の特定処理を実行する（ステップＳ１−２）。具体的には、制御部２１の登録管理部２１１は、撮影画像に対して、紙幣パターンを用いたパターン認識により、金種及び番号領域を特定する。
【００４０】
次に、管理サーバ２０の制御部２１は、記番号の取得処理を実行する（ステップＳ１−３）。具体的には、制御部２１の登録管理部２１１は、番号領域において記番号の文字認識を行なう。ここで、記番号の配色を含めて、紙幣を特定するための識別子として用いる場合には、ユーザ端末１０からカラー撮影画像を取得し、記番号の配色を特定する。
【００４１】
次に、管理サーバ２０の制御部２１は、紙幣保持情報の登録希望かどうかについての判定処理を実行する（ステップＳ１−４）。具体的には、制御部２１の登録管理部２１１は、ユーザ端末１０にメッセージ登録確認を送信する。この場合、端末制御部１１の画面制御部１１３は、タッチパネルディスプレイ１５にメッセージ入力画面５１１を出力する。そして、メッセージ登録を希望するユーザは、メッセージ入力画面５１１に、メッセージを入力する。メッセージとしてテキストを用いる場合には、メッセージ入力画面５１１に文字を入力する。また、メッセージ入力画面５１１において、メッセージとして用いる撮影画像やイラスト画像等を指定することもできる。ここで、イラスト画像については、予めイラスト画像候補を準備しておき、このイラスト画像候補の中から選択できるようにしてもよい。なお、メッセージ登録を希望しない場合、メッセージ入力画面５１１の入力欄を空欄にしておく。
メッセージ入力画面５１１にメッセージが入力され、登録ボタンが選択された場合、情報登録部１１２は、位置情報取得部１７から位置情報を取得する。そして、端末制御部１１の情報登録部１１２は、確認要求を管理サーバ２０に送信する。この確認要求に、メッセージ入力画面５１１に入力されたメッセージ内容及び位置情報、ユーザＩＤを含める。一方、メッセージ入力画面５１１の入力欄が空欄の場合には、確認要求にメッセージを含めない。
また、紙幣保持情報の登録を希望しない場合には、メッセージ入力画面５１１の登録不要ボタンを選択する。この場合には、情報登録部１１２は、登録不要情報を管理サーバ２０に送信する。そして、管理サーバ２０の制御部２１の登録管理部２１１は、確認要求を受信した場合には、紙幣保持情報の登録希望があると判定する。
【００４２】
紙幣保持情報の登録希望と判定した場合（ステップＳ１−４において「ＹＥＳ」の場合）、管理サーバ２０の制御部２１は、紙幣保持情報の登録処理を実行する（ステップＳ１−５）。具体的には、制御部２１の登録管理部２１１は、文字認識した記番号を記録した紙幣管理レコード２４０を生成する。登録管理部２１１は、現在日時、場所、ユーザＩＤを紙幣管理レコード２４０に記録する。更に、確認要求にメッセージが含まれる場合には、登録管理部２１１は、紙幣管理レコード２４０にメッセージ内容を記録する。
【００４３】
一方、登録不要情報を受信し、紙幣保持情報の登録希望でないと判定した場合（ステップＳ１−４において「ＮＯ」の場合）、管理サーバ２０の制御部２１は、紙幣保持情報の登録処理（ステップＳ１−５）をスキップする。
【００４４】
次に、管理サーバ２０の制御部２１は、登録履歴の検索処理を実行する（ステップＳ１−６）。具体的には、制御部２１の出力管理部２１２は、紙幣情報記憶部２４から、ユーザ端末１０から取得した記番号が記録された紙幣管理レコード２４０を抽出する。
【００４５】
次に、管理サーバ２０の制御部２１は、マップ生成処理を実行する（ステップＳ１−７）。具体的には、制御部２１の出力管理部２１２は、抽出した紙幣管理レコード２４０に記録された登録場所をマップ上で特定する。そして、出力管理部２１２は、マップ上で特定した登録場所を、紙幣管理レコード２４０に記録された登録日時の順番に繋げた移動ルートを含めたルートマップを生成する。
【００４６】
次に、管理サーバ２０の制御部２１は、登録履歴一覧の生成処理を実行する（ステップＳ１−８）。具体的には、制御部２１の出力管理部２１２は、抽出した紙幣管理レコード２４０に記録された各メッセージを登録日時の順番に並べた登録履歴一覧を生成する。
【００４７】
次に、管理サーバ２０の制御部２１は、登録履歴情報の出力処理を実行する（ステップＳ１−９）。具体的には、制御部２１の出力管理部２１２は、生成したルートマップ及び登録履歴一覧を、ユーザ端末１０に送信する。この場合、ユーザ端末１０の端末制御部１１の画面制御部１１３は、ルートマップ及び登録履歴一覧を含めた確認画面５１２を、タッチパネルディスプレイ１５に出力する。なお、紙幣情報記憶部２４において、この記番号に関する登録履歴を抽出できない場合には、出力管理部２１２は、ステップＳ１−７，Ｓ１−８をスキップし、初めての登録であることを示すメッセージを出力する。
【００４８】
次に、管理サーバ２０の制御部２１は、クーポンを提供可能かどうかについての判定処理を実行する（ステップＳ１−１０）。具体的には、制御部２１のクーポン管理部２１３は、新たに登録した紙幣管理レコード２４０に記録された紙幣保持情報と、クーポン情報記憶部２３のクーポン管理レコード２３０に記録された提供条件とを比較する。紙幣保持情報が提供条件に一致する場合には、クーポンを提供可能と判定する。
【００４９】
クーポンを提供可能と判定した場合（ステップＳ１−１０において「ＹＥＳ」の場合）、管理サーバ２０の制御部２１は、クーポン登録処理を実行する（ステップＳ１−１１）。具体的には、制御部２１のクーポン管理部２１３は、登録情報が提供条件に一致したクーポン管理レコード２３０のクーポンＩＤを特定する。そして、クーポン管理部２１３は、特定したクーポンＩＤを、ユーザ情報記憶部２２のユーザ管理レコード２２０に記録する。
【００５０】
一方、登録情報が提供条件に一致するクーポン管理レコード２３０を特定できず、クーポンを提供不可と判定した場合（ステップＳ１−１０において「ＮＯ」の場合）、管理サーバ２０の制御部２１は、クーポン登録処理（ステップＳ１−１１）をスキップする。
【００５１】
（自己紙幣表示処理）
次に、図４（ａ）を用いて、自己紙幣表示処理を説明する。この自己紙幣表示処理は、メニュー画面５００において、「自分のお金」ボタンが選択された場合に実行される。この場合、ユーザ端末１０の端末制御部１１の画面制御部１１３は、登録紙幣要求を管理サーバ２０に送信する。この登録紙幣要求には、ユーザＩＤを含める。
【００５２】
登録紙幣要求を取得した管理サーバ２０の制御部２１は、登録紙幣一覧の出力処理を実行する（ステップＳ２−１）。具体的には、制御部２１の出力管理部２１２は、登録紙幣要求のユーザＩＤが記録されたユーザ管理レコード２２０をユーザ情報記憶部２２から取得する。そして、出力管理部２１２は、ユーザ管理レコード２２０に記録されている記番号を含めた一覧を生成し、ユーザ端末１０に送信する。この場合、端末制御部１１の画面制御部１１３は、登録紙幣一覧を含めた既登録画面５２０をタッチパネルディスプレイ１５に出力する。
【００５３】
次に、既登録画面５２０の登録紙幣一覧において記番号が選択された場合、端末制御部１１の画面制御部１１３は、確認画面要求を管理サーバ２０に送信する。
確認画面要求を取得した管理サーバ２０の制御部２１は、ステップＳ１−６と同様に、登録履歴の検索処理を実行する（ステップＳ２−２）。この場合、制御部２１の出力管理部２１２は、確認画面要求に含まれる記番号を用いて、紙幣情報記憶部２４から、この記番号が記録されたすべての紙幣管理レコード２４０を抽出する。そして、ステップＳ１−７〜Ｓ１−９と同様に、マップ生成処理（ステップＳ２−３）、登録履歴一覧の生成処理（ステップＳ２−４）、登録履歴情報の出力処理（ステップＳ２−５）を実行する。
【００５４】
（全体紙幣表示処理）
次に、図４（ｂ）を用いて、全体紙幣表示処理を説明する。この全体紙幣表示処理は、メニュー画面５００において、「みんなのお金」ボタンが選択された場合に実行される。この場合、ユーザ端末１０の端末制御部１１の画面制御部１１３は、ヒートマップ要求を管理サーバ２０に送信する。
【００５５】
ヒートマップ要求を取得した管理サーバ２０の制御部２１は、ヒートマップの作成処理を実行する（ステップＳ３−１）。具体的には、制御部２１の出力管理部２１２は、紙幣情報記憶部２４に記録されている紙幣管理レコード２４０において、記番号毎に、最新の登録日時が記録された登録場所を取得する。次に、出力管理部２１２は、マップにおいて各登録場所を特定する。そして、出力管理部２１２は、場所毎に、登録数に応じて、配色を変更する。例えば、登録数が多い場所については赤色、登録数が少ない場所については青色で表現したヒートマップを生成する。
【００５６】
次に、管理サーバ２０の制御部２１は、ヒートマップの出力処理を実行する（ステップＳ３−２）。具体的には、制御部２１の出力管理部２１２は、生成したヒートマップをユーザ端末１０に送信する。この場合、端末制御部１１の画面制御部１１３は、ヒートマップを含めたヒートマップ画面５３０をタッチパネルディスプレイ１５に出力する。
【００５７】
（クーポン表示処理）
次に、図４（ｃ）を用いて、クーポン表示処理を説明する。このクーポン表示処理は、メニュー画面５００において、「クーポン」ボタンが選択された場合に実行される。この場合、ユーザ端末１０の端末制御部１１の画面制御部１１３は、クーポン一覧要求を管理サーバ２０に送信する。このクーポン一覧要求には、ユーザＩＤを含める。
【００５８】
クーポン一覧要求を取得した管理サーバ２０の制御部２１は、クーポン一覧の出力処理を実行する（ステップＳ４−１）。具体的には、制御部２１の出力管理部２１２は、クーポン一覧要求のユーザＩＤが記録されたユーザ管理レコード２２０をユーザ情報記憶部２２から取得する。そして、出力管理部２１２は、ユーザ管理レコード２２０に記録されているクーポンＩＤを含めた一覧を生成し、ユーザ端末１０に送信する。この場合、端末制御部１１の画面制御部１１３は、クーポン一覧を含めたクーポン一覧画面５４０をタッチパネルディスプレイ１５に出力する。そして、クーポン一覧画面５４０においてクーポンＩＤが選択された場合、画面制御部１１３は、クーポン要求を管理サーバ２０に送信する。
【００５９】
クーポン要求を取得した管理サーバ２０の制御部２１は、クーポンの出力処理を実行する（ステップＳ４−２）。具体的には、制御部２１の出力管理部２１２は、クーポン情報記憶部２３からクーポンＩＤが記録されたクーポン管理レコード２３０を抽出し、このクーポン管理レコード２３０に記録されたクーポン画像をユーザ端末１０に送信する。この場合、端末制御部１１の画面制御部１１３は、クーポン画像を含めたクーポン画面５４１をタッチパネルディスプレイ１５に出力する。このクーポンを利用する場合、クーポン利用可能な店舗において、店員に対して表示されたクーポンを提示する。店員は、クーポンを確認して、ユーザに対して特別の利益を提供する。
【００６０】
以上、本実施形態によれば、以下に示す効果を得ることができる。
（１）本実施形態では、管理サーバ２０の制御部２１は、金種、番号領域の特定処理（ステップＳ１−２）、記番号の取得処理（ステップＳ１−３）を実行する。これにより、各紙幣を特定することができる。
【００６１】
（２）本実施形態では、管理サーバ２０の制御部２１は、紙幣保持情報の登録希望かどうかについての判定処理を実行する（ステップＳ１−４）。紙幣保持情報の登録希望と判定した場合（ステップＳ１−４において「ＹＥＳ」の場合）、管理サーバ２０の制御部２１は、紙幣保持情報の登録処理を実行する（ステップＳ１−５）。これにより、紙幣に応じてメッセージを登録することができる。
【００６２】
（３）本実施形態では、管理サーバ２０の制御部２１は、登録履歴の検索処理（ステップＳ１−６）、登録履歴一覧の生成処理（ステップＳ１−８）、登録履歴情報の出力処理（ステップＳ１−９）を実行する。これにより、紙幣の保持者に対してメッセージを提供することができる。
【００６３】
（４）本実施形態では、管理サーバ２０の制御部２１は、マップ生成処理を実行する（ステップＳ１−７）。これにより、転々流通する紙幣の移動状況を把握することができる。
【００６４】
（５）本実施形態では、管理サーバ２０の制御部２１は、クーポンを提供可能かどうかについての判定処理を実行する（ステップＳ１−１０）。クーポンを提供可能と判定した場合（ステップＳ１−１０において「ＹＥＳ」の場合）、管理サーバ２０の制御部２１は、クーポン登録処理を実行する（ステップＳ１−１１）。これにより、紙幣の保持者に対してクーポンを提供することができる。
【００６５】
（６）本実施形態では、管理サーバ２０の制御部２１は、自己紙幣表示処理を実行する。これにより、紙幣を登録したユーザは、紙幣が転々流通している状況を把握することができる。
（７）本実施形態では、管理サーバ２０の制御部２１は、全体紙幣表示処理を実行する。これにより、登録された紙幣の全体状況を把握することができる。
（８）本実施形態では、管理サーバ２０の制御部２１は、クーポン表示処理を実行する。これにより、ユーザは、クーポンを用いて利益を享受することができる。
【００６６】
なお、上記実施形態は、以下の態様に変更してもよい。
・上記実施形態では、管理サーバ２０の制御部２１は、登録履歴情報の出力処理を実行する（ステップＳ１−９）。ここでは、記番号に関連付けられて登録されたすべてのメッセージを出力する。これに代えて、メッセージの閲覧条件を登録し、この閲覧条件に合致する場合のみ、メッセージを出力するようにしてもよい。この場合のメッセージ登録処理及びメッセージの出力処理を説明する。ここでは、紙幣情報記憶部２４に記録された登録メッセージに関連付けて閲覧条件を記録する。更に、登録メッセージ毎に出力回数を記録する。なお、ここでは、紙幣保持情報の登録及び出力のみについて説明し、他の処理（例えば、クーポンの提供に関する処理）については説明を省略する。
【００６７】
（メッセージ登録処理）
図５（ａ）を用いて、メッセージ登録処理を説明する。
ここでは、管理サーバ２０の制御部２１は、ステップＳ１−３と同様に、記番号の取得処理を実行する（ステップＳ５−１）。
【００６８】
次に、管理サーバ２０の制御部２１は、ステップＳ１−４と同様に、紙幣保持情報の登録希望かどうかについての判定処理を実行する（ステップＳ５−２）。
紙幣保持情報の登録希望と判定した場合（ステップＳ５−２において「ＹＥＳ」の場合）、管理サーバ２０の制御部２１は、ステップＳ１−５と同様に、紙幣保持情報の登録処理を実行する（ステップＳ５−３）。
【００６９】
更に、管理サーバ２０の制御部２１は、閲覧条件の設定処理を実行する（ステップＳ５−４）。具体的には、制御部２１の登録管理部２１１は、ユーザ端末１０に閲覧条件の確認要求を送信する。この場合、端末制御部１１の画面制御部１１３は、閲覧条件設定画面を出力する。ユーザは、メッセージを閲覧できるユーザについて制限の設定を希望する場合には、閲覧条件設定画面に閲覧条件を入力する。例えば、閲覧可能ユーザＩＤ、表示可能期間、表示可能回数、閲覧可能住所等を入力する。なお、メッセージを閲覧できるユーザについて制限の設定を希望しない場合には、閲覧条件の入力をスキップする。メッセージ入力画面５１１において実行ボタンが選択された場合、端末制御部１１の情報登録部１１２は、閲覧条件設定要求を送信する。閲覧条件設定要求を受信した登録管理部２１１は、閲覧条件設定要求にメッセージが含まれる場合には、紙幣情報記憶部２４に記録したメッセージに関連付けて閲覧条件を記録する。
【００７０】
（メッセージ出力処理）
次に、図５（ｂ）を用いて、メッセージ出力処理を説明する。
ここで、管理サーバ２０の制御部２１は、ステップＳ１−３と同様に、記番号の取得処理を実行する（ステップＳ６−１）。
【００７１】
更に、管理サーバ２０の制御部２１は、ステップＳ１−６と同様に、登録履歴の検索処理を実行する（ステップＳ６−２）。
そして、管理サーバ２０の制御部２１は、紙幣情報記憶部２４から抽出した紙幣管理レコード２４０に記録された登録メッセージ毎に、以下の処理を繰り返す。
【００７２】
ここでは、管理サーバ２０の制御部２１は、閲覧条件を満足するかどうかについての判定処理を実行する（ステップＳ６−３）。具体的には、制御部２１の出力管理部２１２は、登録メッセージに関連付けられた閲覧条件と閲覧状況（ユーザＩＤ、閲覧日時、閲覧位置等）とを比較する。閲覧条件として閲覧可能ユーザＩＤが設定されている場合には、閲覧可能ユーザＩＤと閲覧ユーザのユーザＩＤとの一致を判定する。閲覧条件として表示可能期間が設定されている場合には、閲覧時（現在日時）の年月日及び時刻を取得し、表示可能期間に含まれるかどうかを判定する。閲覧条件として表示可能回数が設定されている場合には、登録メッセージの出力回数を特定し、出力回数が表示可能回数以下かどうかを判定する。閲覧条件として閲覧可能住所が設定されている場合には、位置情報取得部１７から位置情報を取得し、この位置情報が閲覧可能住所に含まれるかどうかを判定する。また、閲覧条件として、閲覧状況に応じて、所定のメッセージを出力しない条件を設定できるようにしてもよい。例えば、所定の閲覧状況では、新たに登録されたメッセージのみが出力され、他のメッセージを出力しない閲覧条件を設定する。
【００７３】
閲覧条件を満足すると判定した場合（ステップＳ６−３において「ＹＥＳ」の場合）、管理サーバ２０の制御部２１は、表示対象として決定処理を実行する（ステップＳ６−４）。具体的には、制御部２１の出力管理部２１２は、閲覧条件が設定されている登録メッセージを表示対象として特定する。なお、閲覧条件が設定されていない登録メッセージについても表示対象として決定する。
【００７４】
一方、閲覧条件を満足しないと判定した場合（ステップＳ６−３において「ＮＯ」の場合）、管理サーバ２０の制御部２１は、表示対象として決定処理（ステップＳ６−４）をスキップする。
そして、すべての登録メッセージについて、処理を繰り返す。
【００７５】
次に、管理サーバ２０の制御部２１は、ステップＳ１−９と同様に、登録履歴情報の出力処理を実行する（ステップＳ６−５）。この場合、表示対象として決定した登録メッセージのみを出力する。そして、登録メッセージを出力した場合には、制御部２１の出力管理部２１２は、紙幣情報記憶部２４に記録された登録メッセージに関連付けられた出力回数をカウントアップする。これにより、閲覧条件に応じてメッセージを出力することができる。
【００７６】
・上記実施形態では、管理サーバ２０の制御部２１は、クーポンの出力処理を実行する（ステップＳ４−２）。ここで、クーポンを利用する場合、クーポン利用可能な店舗において、店員に対して表示されたクーポンを提示する。この場合、店舗においてクーポンを確認するようにしてもよい。
【００７７】
図６を用いて、クーポン確認処理を説明する。この場合には、管理サーバ２０の制御部２１は、クーポン登録処理（ステップＳ１−１１）において、ユーザ情報記憶部２２のユーザ管理レコード２２０のクーポンＩＤに関連付けて、クーポンを提供する紙幣の記番号を記録しておく。
【００７８】
（クーポン確認処理）
まず、管理サーバ２０の制御部２１は、クーポンの出力処理を実行する（ステップＳ４−２）。この場合、指定されたクーポンＩＤに関連付けて記憶した記番号を特定する。そして、出力管理部２１２は、記番号をコード化したコード画像を生成し、クーポン画像に埋め込む。クーポンを利用する場合、クーポン利用可能な店舗において、店員に対して、ユーザ端末１０のタッチパネルディスプレイ１５に表示されたクーポン及びクーポンを取得した紙幣を提示する。
【００７９】
そして、店頭端末は、スキャン処理を実行する（ステップＳ７−１）。具体的には、店頭端末において、表示されたクーポン画像を読み取る。
次に、店頭端末は、デコード処理を実行する（ステップＳ７−２）。具体的には、店頭端末は、読み取ったクーポン画像に含まれるコード画像を復号する。そして、店頭端末は、コード画像から記番号を取得する。
【００８０】
この場合、店員は、ユーザが提示した紙幣に印刷された記番号を確認し、コード画像の記番号と一致するかどうかを判定する。
次に、店頭端末は、照合完了かどうかについての判定処理を実行する（ステップＳ７−３）。具体的には、紙幣に印刷された記番号と、コード画像から記番号とが一致する場合には、店員は、店頭端末において照合完了入力を行なう。
【００８１】
照合完了と判定した場合（ステップＳ７−３において「ＹＥＳ」の場合）、店頭端末は、利益の提供処理を実行する（ステップＳ７−４）。具体的には、店頭端末は、ユーザとの取引において、ユーザに与えられる特別の利益を提供する。ユーザに与えられる特別の利益として、例えば、取引価額の割引等を行なう。
【００８２】
一方、店頭端末において照合完了入力が行なわれない場合（ステップＳ７−３において「ＮＯ」の場合）には、店頭端末は、利益の提供処理（ステップＳ７−４）をスキップする。これにより、クーポンの真正性を確認することができる。
【００８３】
・上記実施形態では、登録管理部２１１は、現在日時、場所、ユーザＩＤ、確認要求に含まれるメッセージを紙幣管理レコード２４０に記録する。ここで、個人住宅等のように個人情報に関わる住所の場合には、詳細住所をマスクするようにしてもよい。具体的には、管理サーバ２０の制御部２１は、取得した住所に基づいて、地図情報を用いて、居所種別（住宅地域、オフィス地域、商業地域等）を特定する。そして、居所種別に応じて、住所マスクの要否を判定する。個人情報に関わる住所（住宅地域、オフィス地域）の場合には、詳細住所を特定できない地域情報に変換する。例えば、住所の解像度を落とした１ｋｍ範囲のメッシュに変換する。一方、個人情報に関わらない住所（商業地域）の場合には、位置情報取得部１７から取得した所在地情報をそのまま用いる。これにより、プライバシを考慮して個人情報を保護することができる。
【００８４】
・上記実施形態では、管理サーバ２０の制御部２１は、金種、番号領域の特定処理（ステップＳ１−２）、記番号の取得処理（ステップＳ１−３）を実行する。これに代えて、ユーザ端末１０において、これらの処理を実行するようにしてもよい。
【００８５】
・上記実施形態では、管理サーバ２０の制御部２１は、紙幣保持情報の登録処理を実行する（ステップＳ１−５）。この場合、同一ユーザによる、同一紙幣を用いての連続した登録を排除するようにしてもよい。この場合には、記番号の取得処理（ステップＳ１−３）において、同一記番号で、登録日時が直近の紙幣管理レコード２４０に、今回と同じユーザＩＤが記録されている場合には、同一ユーザによる連続した紙幣保持情報の登録を拒否する。また、同一記番号で、登録日時が直近の紙幣管理レコード２４０に、今回と同じユーザＩＤが記録されている場合には、同一ユーザによる、同一記番号で直近の紙幣管理レコード２４０を上書きするようにしてもよい。
【００８６】
・上記実施形態では、管理サーバ２０の制御部２１は、記番号の取得処理を実行する（ステップＳ１−３）。ここで、事故紙幣（盗難等の問題がある紙幣）を検知するようにしてもよい。この場合には、管理サーバ２０に事故紙幣情報記憶部を設ける。この事故紙幣情報記憶部には、盗難等にあった事故紙幣の記番号を登録しておく。そして、管理サーバ２０の制御部２１は、ユーザ端末１０から新たに取得した記番号が事故紙幣情報記憶部に登録されているかどうかを確認する。そして、記番号が事故紙幣情報記憶部に登録されている場合には、管理者端末に対して、アラームを出力する。このアラームには、現在日時、場所、ユーザＩＤを含める。これにより、事故紙幣について注意喚起することができる。
【００８７】
・上記実施形態では、管理サーバ２０の制御部２１は、アップロード処理を実行する（ステップＳ１−１）。具体的には、制御部２１の登録管理部２１１は、ユーザ端末１０から撮影画像を取得する。ユーザ端末１０として、現金自動預払機を用いることも可能である。この場合には、金融機関が保有する顧客情報記憶部の顧客情報にユーザＩＤを記録しておく。そして、現金自動預払機に挿入されたキャッシュカード等を用いてユーザＩＤを特定する。
更に、ユーザ端末１０として、紙幣の読取専用装置を設置するようにしてもよい。この場合には、紙幣を読み取った読取専用装置を特定し、この設置場所を登録場所として紙幣情報記憶部２４に記録する。
また、複数の読取専用装置を、特定地域内の異なる場所に設置し、各読取専用装置で紙幣を読み取らせるようにしてもよい。この場合には、紙幣の記番号とユーザＩＤとを関連付けておく。これにより、紙幣を用いて、特定地域を巡って、履歴を残すスタンプラリー等を行なうことができる。
【００８８】
・上記実施形態では、共通の紙幣番号を登録したユーザ間でメッセージ交換できるようにしてもよい。この場合には、ユーザ端末１０のアプリケーションプログラムにメッセージ交換機能を持たせる。更に、管理サーバ２０に、メッセージ交換可能なユーザのグループを登録するグループ情報記憶部を設ける。そして、管理サーバ２０の制御部２１は、共通の紙幣番号を登録したユーザのユーザＩＤにより構成したグループを生成し、グループ情報記憶部に登録する。そして、管理サーバ２０の制御部２１は、グループ情報記憶部に登録されたグループ内のユーザのユーザ端末１０間で、メッセージ交換を許容する。
【００８９】
・上記実施形態では、管理サーバ２０の制御部２１は、クーポンを提供可能かどうかについての判定処理を実行する（ステップＳ１−１０）。この場合、ユーザに対して提供する特典はクーポンに限定されるものではない。例えば、特典として、くじを提供するようにしてもよい。この場合には、管理サーバ２０の制御部２１は、くじの当せん番号を、記番号に基づいて決定する。この場合、管理サーバ２０に、当せんを決めるための当せん番号情報を記録した特典情報記憶部を設ける。そして、当せん番号の記番号を登録した最初のユーザに、特別の利益（例えば、当せん金や金券等）を提供する。
【００９０】
・上記実施形態では、紙幣保持情報の登録希望と判定した場合（ステップＳ１−４において「ＹＥＳ」の場合）、管理サーバ２０の制御部２１は、紙幣保持情報の登録処理を実行する（ステップＳ１−５）。ここで、ユーザ自身が登録したメッセージ等の編集（削除や修正等）を許容するようにしてもよい。編集を希望する場合には、管理サーバ２０の制御部２１は、既登録画面５２０を用いて、自分が登録した紙幣を選択し、このユーザのユーザＩＤに関連付けられたメッセージ等の編集を許可する。
また、ユーザが紙幣を保持している場合には、紙幣の撮影画像を用いて、編集対象のメッセージを特定できるようにしてもよい。この場合には、アップロード処理（ステップＳ１−１）〜記番号の取得処理（ステップＳ１−３）により、この記番号を用いて編集対象の紙幣管理レコード２４０を特定する。
【００９１】
・上記実施形態では、転々流通する流通物として、紙幣を用いるが、流通物は紙幣に限定されるものではない。例えば、宝くじ、金券、小切手等のように、流通物を個別に特定できる流通物識別情報が印刷されたものであれば、転々流通する流通物として利用することができる。
【符号の説明】
【００９２】
１０…ユーザ端末、１１…端末制御部、１１１…情報取得部、１１２…情報登録部、１１３…画面制御部、１５…タッチパネルディスプレイ、１６…カメラ、１７…位置情報取得部、２０…管理サーバ、２１…制御部、２１１…登録管理部、２１２…出力管理部、２１３…クーポン管理部、２２…ユーザ情報記憶部、２３…クーポン情報記憶部、２４…紙幣情報記憶部。
【図１】
2018106495.tif 000003
【図２】
2018106495.tif 000004
【図３】
2018106495.tif 000005
【図４】
2018106495.tif 000006
【図５】
2018106495.tif 000007
【図６】
2018106495.tif 000008